(57)【要約】      （修正有）【課題】被設置物を振動防止具上に簡単に載置することができる振動防止具を提供する。  【解決手段】振動防止具１０は載置面１０ａを有し、この載置面１０ａを囲むように、コの字状の段差１２が設けられる。段差１２が設けられていない載置面１０ａの辺側に、この載置面１０ａに連続的に傾斜面１０ｃが設けられる。したがって、冷蔵庫のように、車輪を有している被設置物を振動防止具１０上に載置する場合には、傾斜面１０ｃ上を車輪が通るように、被設置物は移動される。【選択図】図１
0003152610.tif 000002
【実用新案登録請求の範囲】
【請求項１】
載置された被設置物が発生する振動を吸収する振動防止具であって、
前記被設置物を載置する載置面を有し、
一部の側面を前記載置面に連続する傾斜面で形成したことを特徴とする、振動防止具。
【請求項２】
底面に格子状の溝をさらに設けた、請求項１記載の振動防止具。
【請求項３】
前記載置面のうち、当該載置面と前記傾斜面との連結部以外を囲むように上方に突出した段差をさらに設けた、請求項１または２記載の振動防止具。
【請求項４】
前記傾斜面の傾斜角は９°以上１７°以下で設定される、請求項１ないし３のいずれかに記載の振動防止具。
【考案の詳細な説明】
【技術分野】
【０００１】
この考案は、振動防止具に関し、特にたとえば、屋内に設置される冷蔵庫の振動を防止する、振動防止具に関する。
【背景技術】
【０００２】
この種の背景技術の一例が特許文献１に開示される。この特許文献１の振動防止装置は、容器本体の内部に防振具または一対の薄状防振具を嵌め込み、その防振具または一対の薄状防振具の上に蓋体を被せて、容器本体と蓋体とを連結することにより構成される。また、容器本体の底板には、滑止シートが接着されている。したがって、コンピュータ、洗濯機、冷蔵庫などの被設置物の四隅部下面と床面との間に、防振装置をそれぞれ介在することにより、その被設置物の荷重が蓋体に掛かると、蓋体が容易機本体の上面に当接することなく、防振具が上方への弾撥力に抗して圧縮されながら振動を吸収する。
【先行技術文献】
【特許文献】
【０００３】
【特許文献１】実開平６−４０４９５号［F16F 15/08,D06F 37/24,F16F 1/37,F16F 7/00］
【考案の概要】
【考案が解決しようとする課題】
【０００４】
しかし、特許文献１の振動防止装置では、当該被設置物の下面と床面との間に介在させるためには、被設置物を持ち上げるなどの必要があり、冷蔵庫のように荷重の大きい被設定物の下面と床面との間に設置するのは相当の労力が必要である。たとえば、一般家庭における台所では、壁面や食器棚などに挟まれているような場所に冷蔵庫を設置するため、特に冷蔵庫の容量が大きい場合には、特許文献１の振動防止装置を冷蔵庫と床との間に介在させるのは困難である。
【０００５】
それゆえに、この考案の主たる目的は、新規な、振動防止具を提供することである。
【０００６】
この考案の他の目的は、被設置物を容易に設置できる、振動防止具を提供することである。
【課題を解決するための手段】
【０００７】
この考案は、上記の課題を解決するために、以下の構成を採用した。なお、括弧内の参照符号および補足説明等は、本考案の理解を助けるために後述する実施の形態との対応関係を示したものであって、本考案を何ら限定するものではない。
【０００８】
第１の考案は、載置された被設置物が発生する振動を吸収する振動防止具であって、被設置物を載置する載置面を有し、一部の側面を前記載置面に連続する傾斜面で形成したことを特徴とする、振動防止具である。
【０００９】
第１の考案では、振動防止具（１０）は、載置された被設置物（たとえば、冷蔵庫）が発生する振動を吸収する。この振動防止具は、被設置物を載置する載置面（１０ａ）を有し、一部の側面（１０ｃ）がこの載置面に連続する傾斜面で形成される。したがって、被設置物を振動防止具（載置面）上に載置するとき、被設置物は、その底面ないし脚に設けられた車輪が傾斜面を通るように移動される。
【００１０】
第１の考案によれば、傾斜面を設けるので、車輪を有する被設置物を容易に載置させることができる。
【００１１】
第２の考案は、第１の考案に従属し、底面に格子状の溝をさらに設けた。
【００１２】
第２の考案では、振動防止具の底面（１０ｄ）には、格子状の溝（１４）が設けられる。したがって、振動防止具上に被設置物が載置されると、被設置物が振動しても、振動防止具が床面ないし地面からずれるのが防止される。つまり、振動防止具は、滑り止め機能を有する。
【００１３】
第２の考案によれば、振動防止具は滑り止め機能を有しているので、被設置物が発生する振動を吸収するとともに、振動に起因して発生する音を軽減することができる。
【００１４】
第３の考案は、第１または第２の考案に従属し、載置面のうち、当該載置面と傾斜面との連結部以外を囲むように上方に突出した段差をさらに設けた。
【００１５】
第３の考案では、載置面のうち、載置面と傾斜面との連結部以外を囲むように、上方に突出した段差（１２）が設けられる。たとえば、段差は、被設置物の車輪の移動を規制する。
【００１６】
第３の考案によれば、載置面を囲むように設けた段差によって被設置物の車輪の移動が規制されるので、被設置物を振動防止具に載置する際に、当該被設置物の車輪が振動防止具から落ちてしまうのを防止することができる。
【００１７】
第４の考案は、第１ないし第３の考案に従属し、傾斜面の傾斜角は９°以上１７°以下で設定される。
【００１８】
第４の考案では、傾斜角すなわち載置面ないし床面（地面）に対する傾斜面の角度は、９°以上１７°以下に設定される。
【００１９】
第４の考案によれば、比較的緩やかな傾斜であるため、車輪を有する被設置物を容易に載置させることができる。しかも、一定以上の厚みを確保するので、傾斜面の先端部分の破損を防止することができる。
【考案の効果】
【００２０】
この考案によれば、傾斜面を設けるので、車輪を有する被設置物を容易に載置させることができる。
【００２１】
この考案の上述の目的，その他の目的，特徴および利点は、図面を参照して行う以下の実施例の詳細な説明から一層明らかとなろう。
【図面の簡単な説明】
【００２２】
【図１】図１は、この考案の一実施例である振動防止具の外観構成を示す斜視図である。
【図２】図２は、図１に示す振動防止具の上面図である。
【図３】図３は、図１に示す振動防止具の底面図である。
【図４】図４は、図１に示す防振具の側面図および断面図である。
【考案を実施するための形態】
【００２３】
図１を参照して、この考案の一実施例としての振動防止具１０は、廃タイヤを溶かしたゴム（天然ゴムやＳＢＲ（スチレン−ブタジエンランダム共重合体））で形成（射出成形）される。また、この振動防止具１０は、消音具ないし防音具としても機能する。振動防止具１０は、平面状の載置面１０ａを有し、その載置面１０ａを囲むように、コの字状の段差１２が設けられる。ただし、段差１２は、載置面１０ａよりも上方に突出している。また、振動防止具１０では、載置面１０ａに対して垂直な側面１０ｂと載置面１０ａに対して傾斜した側面（傾斜面）１０ｃとを有している。図面から分かるように、側面１０ｂは、載置面１０ａを構成する辺のうち段差１２が設けられる辺側に設けられ、傾斜面１０ｃは、載置面１０ａを構成する辺のうち段差１２が設けられていない辺側であり、載置面１０ａおよび段差１２の上面１２ａから連続的に設けられる。ただし、載置面１０ａは、この振動防止具１０を床面ないし地面に置いた際に、当該床面ないし当該地面と平行ないし略平行になる。
【００２４】
図２（Ａ）は、振動防止具１０を下方（底面１０ｄ側）から見た底面図である。図２（Ａ）に示すように、振動防止具１０の底面１０ｄには、複数の溝１４が格子状に形成される。図２（Ｂ）は、１つの溝１４の断面を拡大した拡大図であるが、この実施例では、各溝１４はその断面がほぼ半円形状となるように形成される。
【００２５】
この振動防止具１０は、主として、冷蔵庫と床との間に設置され、冷蔵庫から発生される振動すなわちコンプレッサの駆動により発生される振動を吸収し、当該振動が床や壁に伝わるのを防止する。その結果、振動による音の発生が軽減されたり防止されたりする。
【００２６】
ここで、段差１２は、冷蔵庫の脚に設けられた車輪の移動を規制するために設けられる。つまり、冷蔵庫をこの振動防止具１０上に載置するとき、冷蔵庫の車輪の移動が規制され、したがって、冷蔵庫（車輪）が振動防止具１０から落ちることがない。また、傾斜面１０ｃを形成するのは、冷蔵庫の車輪の駆動によって振動防止具１０上に載置するためである。さらに、複数の溝１４を設けるのは、冷蔵庫が振動を発生しても、振動防止具１０が床面からずれないようにするためである（滑り止め機能）。
【００２７】
図３（Ａ）は振動防止具１０を上方（載置面１０ａ側）から見た上面図であり、図３（Ｂ）は振動防止具１０を一方側面１０ｂから見た側面図である。図３（Ａ）および図３（Ｂ）を参照して分かるように、この実施例の振動防止具１０は、長手方向の長さが１２０（ｍｍ）であり、短手方向の長さが１００（ｍｍ）であり、全体の厚み（高さ）は１５（ｍｍ）である。また、載置面１０ａおよび段差１２の上面１２ａを合わせた大きさは、８０（ｍｍ）×１００（ｍｍ）である。ただし、段差１２の幅は７（ｍｍ）であり、その高さは５（ｍｍ）である。
【００２８】
図２（Ａ）に戻って、複数の溝１４は、振動防止具１０の底面１０ｄに１０（ｍｍ）間隔で設けられる。図２（Ｂ）に示すように、各溝１４の幅は３（ｍｍ）であり、各溝１４の深さは２（ｍｍ）である。図２（Ａ）に示すように、振動防止具１０の底面１０ｄのうちの一部には、溝１４が形成されていない。図示は省略するが、溝１４が設けられていない部分は、傾斜面１０ｃが設けられる側に相当する。これは、溝１４を底面１０ｄの全体に設けた場合と、傾斜面１０ｃ側に対応する底面１０ｄの一部に溝１４を設けない場合とで、滑り止め機能に何ら異なることが無く、必要と認められる部分にのみ、溝１４を形成したためである。また、溝１４の深さが大きすぎると、薄弱となってしまうため、上述したように、深さは２（ｍｍ）に設定された。
【００２９】
また、図３（Ｂ）に示すように、傾斜面１０ｃの床面（底面１０ｄ）に対する傾斜角αは１３°である。ここで、この実施例の振動防止具１０は、冷蔵庫の車輪等を載置する必要がある。このため、載置面１０ａの大きさは、少なくとも８０（ｍｍ）×８０（ｍｍ）必要である（条件１）。また、振動防止具１０の機能上、載置面１０ａの平面部と底面との厚みは、１０（ｍｍ）必要である（条件２）。つまり、これが振動を吸収するために必要な厚みである。
【００３０】
かかる場合に、図４（Ａ）に示すように、振動防止具１０（傾斜面１０ｃ）の長さを長手方向に延長する（ここでは、１４０（ｍｍ））と、傾斜角αが小さくなる（ここでは、９°）。かかる場合には、比較的少ない労力で冷蔵庫を振動防止具１０上に載置することができる。しかし、振動防止具１０（傾斜面１０ｃ）を長手方向に延長し過ぎると、つまり、長手方向の長さが１４０（ｍｍ）を超えると、傾斜面１０ｃの先端部分（図４（Ａ）の点線の丸で囲む部分）の厚みが薄くなり過ぎてしまい、反り、めくれ、破れの原因となる。また、冷蔵庫の前面よりもはみ出してしまう場合には、邪魔になってしまう可能性もある。
【００３１】
一方、図４（Ｂ）に示すように、振動防止具１０（傾斜面１０ｃ）の長手方向の長さを短く（ここでは、１１０（ｍｍ））すると、傾斜角αが大きく（急に）なる（ここでは、１７°）。かかる場合には、振動防止具１０が小型化されたり、傾斜面１０ｃの先端部分の強度が増したりする。しかし、振動防止具１０（傾斜面１０ｃ）の長手方向の長さを短くし過ぎると、つまり、長手方向の長さが１１０（ｍｍ）未満になると、傾斜角αが大きくなり過ぎてしまい、段差に近くなってしまう。かかる場合には、冷蔵庫を載置するために、多大な労力を要することになる。
【００３２】
したがって、この実施例では、上記の条件１および条件２を満たし、かつ図４（Ａ）および図４（Ｂ）を用いて説明した場合のような不都合を回避するようにするために、振動防止具１０の長手方向の長さを１２０（ｍｍ）に決定（選択）した。その結果として、傾斜角αは１３°に設定された。ただし、これらの値に限定される必要はなく、図４（Ａ）および図４（Ｂ）に示したように、振動防止具１０の長手方向の長さは、１１０（ｍｍ）以上１４０（ｍｍ）以下の間で決定可能であり、このとき、傾斜角αは９°以上１７°以下の値に設定される。
【００３３】
上述したように、振動防止具１０は、冷蔵庫の４つの脚（車輪）と床との間のそれぞれに配置される。図示は省略するが、冷蔵庫を振動防止具１０に載置させる場合には、冷蔵庫の４つの車輪が最終的に置かれる位置のそれぞれに、振動防止具１０が配置される。このとき、各振動防止具１０では、その向き（傾斜面１０ｃが向く方向）が同じ向きに揃えられる。したがって、振動防止具１０の傾斜面１０ｃが設けられる側から冷蔵庫を押して移動させると、冷蔵庫の４つの車輪はそれぞれ対応する振動防止具１０の傾斜面１０ｃを上って、振動防止具１０（載置面１０ａ）上に載置される。したがって、冷蔵庫が発生する振動は、振動防止具１０によって吸収され、振動に起因する音の発生が軽減されたり、防止されたりする。
【００３４】
なお、この実施例では、冷蔵庫の４つの脚にそれぞれ車輪が設けられることを前提としてあるが、冷蔵庫によっては４つの脚のうちの２つに車輪が設けられる場合もある。かかる場合には、２つの車輪が地面についた状態で冷蔵庫を斜めにして移動させることにより、当該２つの車輪が振動防止具１０の斜面１０ｃを上る。
【００３５】
この実施例によれば、冷蔵庫を持ち上げる必要がなく、比較的緩やかな傾斜面上を移動させるだけなので、女性や子供のように非力な者であっても、冷蔵庫を振動防止具上に容易に載置することができる。
【００３６】
なお、この実施例では、車輪で移動可能であり、振動を発生する被設置物として冷蔵庫を例に挙げたが、被設置物は冷蔵庫に限定される必要はない。同様の構成であり、同程度の重量の被設置物であれば、当該被設置物と床面との間に、この実施例の振動防止具を設置することにより、当該被設置物が発生する振動を吸収することができる。
【００３７】
また、この実施例では、冷蔵庫を載置する場合の振動防止具を説明し、その寸法を具体的に示したが、載置面に連続する傾斜面を形成するのであれば、被設置物の重量およびその車輪等の大きさに応じて載置面の大きさや振動防止具の厚みなどを適宜変更してもよい。ただし、傾斜角の大きさや傾斜面の先端部の厚みを考慮する必要がある。
【符号の説明】
【００３８】
１０  …振動防止具
１０ａ  …載置面
１０ｂ  …側面
１０ｃ  …傾斜面
１０ｄ  …底面
１２  …段差
１４  …溝
【図１】
0003152610.tif 000003
【図２】
0003152610.tif 000004
【図３】
0003152610.tif 000005
【図４】
0003152610.tif 000006